(57)【要約】      （修正有）【課題】弾性変形してネット状のバッグの形態となり、ワイン瓶を収納する際にワイン瓶のネック部分をかけて支持でき、キャリアをテーブルまたは底に下ろしても自動で広げられずにワイン瓶の収納状態を維持できる、ネット型キャリアを提供する。【解決手段】ネット型キャリアは、外力を加えた時に変形が可能な柔軟な素材からなり、円周方向に沿って長い複数の切開線１１が半径方向に互いに入れ違いに配列されて、外力が加えられる時に切開線が広がりながらネット状のバッグの形態に変形して容器を収納する平板形態の本体部１０、本体部の端部分の両側に半径方向に突出形成される一対の取っ手ストリップ２０、および、収納部が縮められて容器を収納する時に容器のネック部分を交差しながら支持する一対のメインネックストリップ３０を含む。【選択図】図３
0003224791.tif 000002
【実用新案登録請求の範囲】
【請求項１】
柔軟な素材からない、複数の切開線が半径方向に互いに入れ違いに配列されて、外力が加えられる時に前記複数の切開線が広がってネット状のバッグ（ｂａｇ）の形態に変形されて容器を収納することになる平板の形態の本体部；
前記本体部の端部分の両側に半径方向に突出するように形成される一対の取っ手ストリップ；
前記収納部が縮められて容器を収納する時に容器のネック部分を交差しながら支持する少なくとも一対以上のメインネックストリップ；を含む、ネット型キャリア。
【請求項２】
前記メインネックストリップは前記本体部の端と前記取っ手ストリップの間に形成される空間を横切るように形成される、請求項１に記載のネット型キャリア。
【請求項３】
前記メインネックストリップと前記本体部の端の間でメインネックストリップと並んで形成されて、容器のネック部分を交差しながら支持できる少なくとも１個以上の補助ネックストリップをさらに含む、請求項２に記載のネット型キャリア。
【請求項４】
前記本体部に円周方向に配列される複数の切開線間の連結部の幅は、半径方向の内側に配列された切開線間の連結部の幅（Ｄ１）が半径方向の中間部分に配列された切開線間の連結部の幅（Ｄ２）より大きく、半径方向の外側に配列された切開線間の連結部の幅（Ｄ３）が半径方向の中間部分に配列された切開線間の連結部の幅（Ｄ２）より大きく形成される、請求項１に記載のネット型キャリア。
【請求項５】
前記本体部の最外側に円周方向に配列される切開線によって形成される最外側ストリップの幅（Ｗ１）は、その内側のストリップの幅（Ｗ２）より大きい幅で形成される、請求項１に記載のネット型キャリア。
【請求項６】
複数の切開線の両端部に円形の孔が形成された、請求項１に記載のネット型キャリア。
【考案の詳細な説明】
【技術分野】
【０００１】
本考案はワイン瓶のような容器を収納して携帯できるネット型キャリアに関し、さらに詳細には、円周方向に長い複数の切開線が半径方向に沿って配列されている平板状に広げられた状態で、ワイン瓶のような容器を収納するために取っ手部分を持ち上げると、前記切開線が広がりながらネット状のバッグ（ｂａｇ）の形態となって容器を収納できるようになる、ネット型キャリアに関する。
【背景技術】
【０００２】
一般にワイン瓶に入れられたワインは、安価で販売される安価用と高価で販売される高価用に区分されており、安価用の場合は家庭で多く飲用する用途で販売され、高価用の場合は家庭での飲用よりは主に知り合いの人などにプレゼントする用途で販売されている。
【０００３】
このうち、プレゼント用途で多く販売されている高価用のワインが入れられたワイン瓶の場合、ワインが価格に見合うように華やかな包装ボックスに入れられて陳列されたりまたは販売されており、従来のワイン瓶包装ボックスは一面が開口されワイン瓶が収納される空間が少なくとも一つ以上備えられたボックスと、前記開口部に着脱可能に設置される蓋で構成されている。
【０００４】
したがって、陳列時にはワイン瓶が見えるようにボックスを分離した状態でワイン瓶のみを陳列し、消費者がワインを購入すれば、別途に保管していたボックスを探してボックスにワイン瓶を入れて開口部を閉めた後、別途の包装紐で包装ボックスを結んでから消費者に販売した。
【０００５】
このように、従来のワイン瓶包装ボックスは直六面体の箱体の形態となっており、包装ボックス内にワイン瓶を収納するとワイン瓶が見えないためワイン瓶そのものが与える審美感を感じることができず、ワインの種類を直観的に確認し難い。
【０００６】
また、既存のワイン瓶包装ボックスはその殆どが直六面体のボックス状を有するため、その形態が単調であり、硬い感じがする。
【０００７】
このため、柔軟な材質の平板に多数の切開線または孔を形成して、平板の形態にしていて、その上にワイン瓶を置いて両側の取っ手部分を上側に持ち上げると、切開線または孔によって弾力的に変形しながら縮められてネット状のバッグの形態となるネット型キャリアが使われている。
【０００８】
しかし、従来のネット型キャリアは、ワイン瓶を収納して携帯中に使用者がテーブルや底に一時的に下ろすと、再び両側に広げられながら元の状態に復元される。したがって、使用者が再びワイン瓶を持って移動しようとする場合には、再びネット型キャリアの両側の取っ手部分を把持して持ち上げてバッグの形態に変形させなければならないため、使用が不便な問題がある。
【先行技術文献】
【特許文献】
【０００９】
大韓民国登録実用新案第２０−０３３９２１６号（２００４．０１．０８．登録）
大韓民国登録実用新案第２０−０１７９３７４号（２０００．０２．０９．登録）
大韓民国登録実用新案第２０−０４５９５１６号（２０１２．０３．２１．登録）
【考案の概要】
【考案が解決しようとする課題】
【００１０】
本考案は前記した問題を解決するためのものであって、本考案の目的は、複数の切開線によって弾性変形してネット状のバッグ（ｎｅｔ  ｓｈａｐｅｄ  ｂａｇ）の形態となり、かつワイン瓶のような容器を収納する際にワイン瓶のネック部分をかけて支持できるようにすることによって、キャリアをテーブルまたは底に下ろしても自動で広げられずにワイン瓶を収納した状態をそのまま維持できる、使用が便利なネット型キャリアを提供することにある。
【００１１】
本考案の他の目的は、ワイン瓶のような容器を収納して移動する際に容器の揺れを最小化することができ、堅固かつ安定したネット型キャリアを提供することである。
【課題を解決するための手段】
【００１２】
前記した目的を達成するための本考案に係るネット型キャリアは、外力を加えた時に変形が可能な柔軟な素材からなり、円周方向に沿って長い複数の切開線が半径方向に互いに入れ違いに配列されて、外力が加えられる時に前記複数の切開線が広がりながらネット状のバッグ（ｂａｇ）の形態に変形されて容器を収納することになる平板の形態の本体部；前記本体部の端部分の両側に半径方向に突出するように形成される一対の取っ手ストリップ；および、前記収納部が縮められて容器を収納する時に容器のネック部分を交差しながら支持する一対のメインネックストリップ；を含むことができる。
【００１３】
前記メインネックストリップは前記本体部の端と前記取っ手ストリップの間に形成される空間を横切るように形成される。
【００１４】
また、本考案に係るネット型キャリアは、前記メインネックストリップと前記本体部の端との間に形成されて、メインネックストリップと並んで形成されて小さい大きさの容器のネック部分を交差しながら支持できる補助ネックストリップをさらに含むことができる。
【００１５】
前記本体部に円周方向に配列される複数の切開線間の連結部の幅は、半径方向の内側に配列された切開線間の連結部の幅Ｄ１が半径方向の中間部分に配列された切開線間の連結部の幅Ｄ２より大きく、半径方向の外側に配列された切開線間の連結部の幅Ｄ３が半径方向の中間部分に配列された切開線間の連結部の幅Ｄ２より大きく形成されることが好ましい。
【００１６】
前記本体部の最外側に円周方向に配列される切開線によって形成される最外側ストリップの幅Ｗ１は、その内側のストリップの幅Ｗ２より大きい幅で形成されることが好ましい。
【考案の効果】
【００１７】
本考案によると、使用者が本体部を縮めてネット状のバッグの形態にしてワイン瓶のような容器を収納する時、取っ手ストリップの内側に形成されているメインネックストリップまたは補助ネックストリップを利用してワイン瓶のネック部分をかけて支持することができる。
【００１８】
したがって、使用者がキャリアにワイン瓶を収納して移動中にテーブルや底、その他の構造物の上にキャリアを下した時、使用者が取っ手ストリップを把持せずとも本体部が広げられずに縮められた状態をそのまま維持できるため、再び移動する時にキャリアを再び縮める操作をする必要がない。
【００１９】
また、ワイン瓶のネック部分がメインネックストリップにより支持されるため、キャリアを持って移動する時にワイン瓶の揺れが顕著に減少し、安定性が向上する効果も得ることができる。
【図面の簡単な説明】
【００２０】
【図１】本考案の一実施例に係るネット型キャリアの平面図。
【図２】図１に図示されたネット型キャリアの使用例。
【図３】図１に図示されたネット型キャリアの使用例。
【図４】本考案他の実施例に係るネット型キャリアの平面図。
【図５】図４に図示されたネット型キャリアの使用例。
【考案を実施するための形態】
【００２１】
本明細書に記載された実施例と図面に図示された構成は開示された考案の好ましい一例に過ぎないものであって、本出願の出願時点において本明細書の実施例と図面を代替できる多様な変形例が存在し得る。
【００２２】
以下、添付された図面を参照してネット型キャリアを後述された実施例により具体的に説明する。図面で同じ符号は同じ構成要素を指し示す。
【００２３】
図１〜図３を参照すると、本考案の一実施例に係るネット型キャリアは、平板の形態の状態から容器（この実施例ではワイン瓶）を収納できるネット状のバッグ（ｂａｇ）の形態に変形できる本体部１０と、前記本体部１０の端部分の両側に半径方向に突出するように形成される一対の取っ手ストリップ２０と、前記本体部１０が縮められて容器を収納する時に容器のネック部分を交差しながら支持する２個か一対となるメインネックストリップ３０を含む。
【００２４】
前記本体部１０は外力を加えた時に変形が可能な柔軟な素材からなり、円周方向に沿って長い複数の切開線１１が半径方向に互いに入れ違いに配列されて、平板の形態の状態から外力を加えると、すなわち両側の取っ手ストリップ２０を把持して持ち上げると、前記複数の切開線１１が広がりながらネット状のバッグの形態をなしてワイン瓶Ｂを収納することになる。前記本体部１０はシリコンやシリコンラバー、ゴム等の柔軟な樹脂材質で構成されてもよいが、その他にもワイン瓶Ｂの重さや外力によって容易に破けないコーティング紙または紙、不織布や織布などの織物紙、繊維質の板材などの多様な素材で形成され得る。
【００２５】
前記本体部１０は、テーブルや底に置かれて広げられた時に円形の平板の形態の状態から、中心部にワイン瓶Ｂのような収納する物品を置いて両側の取っ手ストリップ２０を上に持ち上げると、縮められてネット状のバッグの形態を有するようになる。この実施例では、前記本体部１０は広げられた時に円形の平板状となるが、その他にも四角形や六角形などの多角形または楕円形などの多様な形態の平板状となり得る。前記本体部１０がテーブルや底に置かれて広げられた時に平板の形態をなすため、ワイン瓶Ｂを収納して移動しない時はキャリアを食べ物の容器を支える支持台などにも活用することができる。
【００２６】
前記本体部１０の中心部には円形の支持部１３が形成され、この支持部１３にワイン瓶Ｂを載置する。
【００２７】
前記本体部１０に形成される複数の切開線１１は円周方向に長い円弧状のスリット（ｓｌｉｔ）の形態を有する。前記本体部１０の中心から同じ距離で円周方向に沿って配列される複数の切開線１１を一つの切開線１１グループとする時、複数の切開線１１グループが半径方向に所定の間隔をおいて配列され、それぞれの切開線１１グループの切開線１１は半径方向に互いに入れ違いに配列された構造を有する。この実施例では、それぞれの切開線１１グループで円周方向に配列される切開線１１の数はいずれも同じく６個ずつであり、いずれか一つの切開線１１グループの切開線１１とこの切開線１１グループに隣接した他の切開線１１グループの切開線１１は、同心上で同じ位相差（この実施例では６０°）を有するように配列される。例えば最内側の切開線１１グループは６個の切開線１１が円周方向に沿って６０°の間隔で配列され、その外側の切開線１１グループは６個の切開線１１が円周方向に沿って６０°の間隔で配列されるものの、最内側の切開線１１グループの切開線１１と６０°の位相差で入れ違いに配列される。このような切開線１１の配列構造によって本考案のネット型キャリアは堅固な強度を有することになる。
【００２８】
また、ワイン瓶Ｂの荷重が集中する本体部１０の中心側、すなわち支持部１３側でより堅固な支持強度を確保できるようにするために、前記本体部１０の円周方向に配列される複数の切開線１１間の連結部１２の幅は、本体部１０の半径方向の内側部分で最も大きく、本体部１０の半径方向の中間部分で一番小さく、本体部１０の半径方向の外側部分で再び大きくなる。
【００２９】
より具体的には、本体部１０の半径方向の内側に位置した切開線１１グループの切開線１１間の連結部１２の幅Ｄ１が、半径方向の中間部分に位置した切開線１１グループの切開線１１間の連結部１２幅Ｄ２より大きく、本体部１０の半径方向の外側に位置した切開線１１グループの切開線１１間の連結部１２の幅Ｄ３が、半径方向の中間部分に位置した切開線１１グループの切開線１１間の連結部１２の幅Ｄ２より大きく形成される。ここで、各切開線１１間の連結部１２の幅の大きさはＤ１＞Ｄ３＞Ｄ２の大きさ順で形成されることが好ましい。
【００３０】
また、堅固性をさらに増大させるために、前記本体部１０の最外側の切開線１１グループの切開線１１により形成される最外側ストリップの幅Ｗ１は、その内側の切開線１１により形成されるストリップの幅Ｗ２より大きい幅で形成されることが好ましい。
【００３１】
前記取っ手ストリップ２０は、使用者が手で掴んで持ち上げたり、移動する時に便利であるように、略「Ｕ」字状の環状となっており、両端が前記本体部１０の端部分に一体に連結される。
【００３２】
前記メインネックストリップ３０は、前記本体部１０の端と前記取っ手ストリップ２０の間に形成される空間を横切るように形成されて、本体部１０が縮められてワイン瓶Ｂを収納する時、収納されたワイン瓶Ｂのネック部分を交差しながら巻いて支持する。したがって、使用者がネット型キャリアを持って移動中にテーブルや底などに一時的に置いた時、本体部１０が自動で広げられずにワイン瓶Ｂを収納した状態をそのまま維持することができる。ワイン瓶Ｂを取り出す場合には、メインネックストリップ３０をワイン瓶Ｂのネック部分で解いてかかっている状態を簡単に解除すればよい。
【００３３】
大きさの小さいワイン瓶Ｂのような容器を収納する時、大きさの小さいワイン瓶Ｂのネック部分を支持できるようにするために、前記メインネックストリップ３０と前記本体部１０の端の間に補助ネックストリップ４０を形成することができる。前記補助ネックストリップ４０は前記メインネックストリップ３０と並んで形成され、前記取っ手ストリップ２０が連結される本体部１０の端部分に補助切開線４１を切開することによって形成され得る。
【００３４】
このように構成された本考案のネット型キャリアは次のように作動する。
【００３５】
図１に図示したように、本体部１０が広げられた状態で本体部１０の中央の支持部１３にワイン瓶Ｂのような収納しようとする物品を置き、両側の取っ手ストリップ２０を手で掴んで一定の力を加えて持ち上げると、図２に図示したように、本体部１０の切開線１１が広げられながらネット状のバッグの形態となる。
【００３６】
引き続き、図３に図示したように、使用者がいずれか一つのメインネックストリップ３０を手で掴んでワイン瓶Ｂのネック部分の上端を越して渡して反対側にかけ、さらに他の一つのメインネックストリップ３０を手で掴んでワイン瓶Ｂのネック部分の上端を越して渡して反対側にかける。このようにすれば、２個のメインネックストリップ３０がワイン瓶Ｂのネック部分を交差しながらかけて支持できるようになる。
【００３７】
したがって、使用者が取っ手ストリップ２０を把持せずとも本体部１０が広げられずに縮められた状態をそのまま維持することができる。
【００３８】
小さい大きさのワイン瓶Ｂを収納する場合には、前記メインネックストリップ３０の代わりに補助ネックストリップ４０を使ってワイン瓶Ｂのネック部分をかけて支持することができる。
【００３９】
このように本考案によると、使用者が本体部１０を縮めてネット状のバッグの形態にしてワイン瓶のような容器を収納する時、取っ手ストリップ２０の内側に形成されているメインネックストリップ３０または補助ネックストリップ４０を利用してワイン瓶Ｂのネック部分をかけて支えることができる。
【００４０】
したがって、使用者がキャリアにワイン瓶Ｂを収納して移動中にテーブルや底、その他の構造物の上にキャリアを下した時、使用者が取っ手ストリップ２０を把持せずとも本体部１０が広げられずに縮められた状態をそのまま維持できるため、再移動時に再びキャリアを縮める操作をする必要がない。
【００４１】
一方、図面に図示してはいないが、前記メインネックストリップ３０と補助ネックストリップ４０の下部面には、ワイン瓶Ｂのネック部分と接触しながら滑りを防止し、安定性を向上させることができるように、ゴムまたは不織布のような材質の摩擦パッドまたは突起がさらに形成され得る。
【００４２】
図４および図５は、ネット型キャリアの他の実施例を示したものであって、この実施例のネット型キャリアは、容器のネック部分を交差しながら支持するメインネックストリップ３０と補助ネックストリップ４０の間にさらに他の補助ネックストリップ（５０；以下「第２補助ネックストリップ」という。）が設けられた構造を有する。
【００４３】
第２補助ネックストリップ５０は、メインネックストリップ３０と同様に容器のネック部分を交差しながら支持してもよく、図５に図示したように、前記第２補助ネックストリップ５０をワイン瓶Ｂのネック部分をかけて支える用途で使わない場合には、第２補助ネックストリップ５０がワイン瓶Ｂのネック部分を支えてさらに安定した支持力と耐久性を提供することができる。
【００４４】
また、この実施例のネット型キャリアは、荷重分散のために複数の切開線１１の両端部に円形の孔１４が形成されている。
【００４５】
以上、本考案は実施例を参照して詳細に説明されたが、本考案が属する技術分野で通常の知識を有する者であれば、前記で説明された技術的思想を逸脱しない範囲内で多様に置換、付加および変形できることは言うまでもなく、このような変形された実施形態も下記の実用新案登録請求の範囲によって定められる本考案の保護範囲に属するものと理解されるべきである。
【符号の説明】
【００４６】
Ｂ：ワイン瓶
１０：本体部
１１：切開線
１２：連結部
１３：支持部
２０：取っ手ストリップ
３０：メインネックストリップ
４０：補助ネックストリップ
４１：補助切開線
【図１】
0003224791.tif 000003
【図２】
0003224791.tif 000004
【図３】
0003224791.tif 000005
【図４】
0003224791.tif 000006
【図５】
0003224791.tif 000007
【手続補正書】
【提出日】令和1年11月7日(2019.11.7)
【手続補正１】
【補正対象書類名】実用新案登録請求の範囲
【補正対象項目名】全文
【補正方法】変更
【補正の内容】
【実用新案登録請求の範囲】
【請求項１】
柔軟な素材からなり、複数の切開線が半径方向に互いに入れ違いに配列されて、外力が加えられる時に前記複数の切開線が広がってネット状のバッグ（ｂａｇ）の形態に変形されて容器を収納することになる平板の形態の本体部；
前記本体部の端部分の両側に半径方向に突出するように形成される一対の取っ手ストリップ；
前記本体部が縮められて容器を収納する時に容器のネック部分を交差しながら支持する少なくとも一対以上のメインネックストリップ；を含む、ネット型キャリア。
【請求項２】
前記メインネックストリップは前記本体部の端と前記取っ手ストリップの間に形成される空間を横切るように形成される、請求項１に記載のネット型キャリア。
【請求項３】
前記メインネックストリップと前記本体部の端の間でメインネックストリップと並んで形成されて、容器のネック部分を交差しながら支持できる少なくとも１個以上の補助ネックストリップをさらに含む、請求項２に記載のネット型キャリア。
【請求項４】
前記本体部に円周方向に配列される複数の切開線間の連結部の幅は、半径方向の内側に配列された切開線間の連結部の幅（Ｄ１）が半径方向の中間部分に配列された切開線間の連結部の幅（Ｄ２）より大きく、半径方向の外側に配列された切開線間の連結部の幅（Ｄ３）が半径方向の中間部分に配列された切開線間の連結部の幅（Ｄ２）より大きく形成される、請求項１に記載のネット型キャリア。
【請求項５】
前記本体部の最外側に円周方向に配列される切開線によって形成される最外側ストリップの幅（Ｗ１）は、その内側のストリップの幅（Ｗ２）より大きい幅で形成される、請求項１に記載のネット型キャリア。
【請求項６】
複数の切開線の両端部に円形の孔が形成された、請求項１に記載のネット型キャリア。